(57)【要約】【課題】  レーザーダイオード駆動に必要な駆動チップを一体に形成した駆動チップ一体型レーザーダイオードモジュール及びこれを採用した光ピックアップ装置を提供する。【解決手段】  レーザー光を生成して照射するものであって、電源を印加されらるべく外部に突設された複数の第１リードを有するレーザーダイオードモジュール本体と、前記第１リードが挟まれる結合孔と、前記結合孔内に備えられるものであって前記第１リードと電気的に接続される内部コネクタと、外部に突設された複数の第２リードとを有する駆動チップと、前記第２リードと電気的に連結される複数のランドと、前記レーザーダイオードモジュール本体が貫通される貫通孔を有するメーン基板と、を含み、前記レーザーダイオードモジュール本体に対して前記駆動チップ及び前記メーン基板が一体に形成されたことを特徴とする駆動チップ一体型レーザーダイオードモジュールである。【選択図】  図２
2004214678.tif 000002
【特許請求の範囲】
【請求項１】
レーザー光を生成して照射するものであって、電源を印加するべく外部に突設された複数の第１リードを有するレーザーダイオードモジュール本体と、
前記第１リードが挟まれる結合孔と、前記結合孔内に備えられるものであって前記第１リードと電気的に接続される内部コネクタと、外部に突設された複数の第２リードとを有する駆動チップと、
前記第２リードと電気的に連結される複数のランドと、前記レーザーダイオードモジュール本体が貫通される貫通孔を有するメーン基板と、を含み、
前記レーザーダイオードモジュール本体に対して前記駆動チップ及び前記メーン基板が一体に形成されたことを特徴とする駆動チップ一体型レーザーダイオードモジュール。
【請求項２】
複数の第１リードを有するレーザーダイオードモジュール本体と、前記第１リードが挟まれる結合孔と、前記結合孔内に備えられるものであって前記第１リードと電気的に接続される内部コネクタ及び外部に突設された複数の第２リードを有する駆動チップと、前記第２リードと電気的に連結される複数のランドと前記レーザーダイオードモジュール本体が貫通される貫通孔とを有するメーン基板が一体に形成された駆動チップ一体型レーザーダイオードモジュールと、
光記録媒体の半径方向に往復移送可能に備えられたものであって、前記駆動チップ一体型レーザーダイオードモジュールが装着される装着部と、前記レーザーダイオードモジュール本体が結合して設けられる取付け孔を有するベースと、
サスペンションを通じて前記ベースに連結されるものであって、前記ベース上で前記光記録媒体のトラック方向及びフォーカス方向に動き自在に設けられるボビンと、
前記ボビンに搭載されるものであって、前記レーザーダイオードモジュールから照射された光を集束して前記光記録媒体に結像させる対物レンズと、
前記ベースと前記ボビンに亙って備えられ、前記対物レンズを前記光記録媒体のトラック方向及びフォーカス方向に駆動制御する磁気駆動手段と、
前記ベースに備えられ、前記光記録媒体から反射された光を受光して情報信号及びエラー信号を検出する光検出器と、を含むことを特徴とする駆動チップ一体型レーザーダイオードモジュールを採用した光ピックアップ装置。
【請求項３】
前記メーン基板と前記装着部間の螺合によって、前記ベースに対する前記駆動チップ一体型レーザーダイオードモジュールが装着され、
前記レーザーダイオードモジュール本体から発生した熱を前記ネジ及び前記ベースを通じて放熱することを特徴とする請求項２に記載の駆動チップ一体型レーザーダイオードモジュールを採用した光ピックアップ装置。
【請求項４】
前記レーザーダイオードモジュール本体が前記ベースに形成された取付け孔の内壁に接触さるべく前記取付け孔内に結合され、
前記レーザーダイオードモジュール本体から発生した熱を前記ベースを通じて放熱することを特徴とする請求項２に記載の駆動チップ一体型レーザーダイオードモジュールを採用した光ピックアップ装置。
【請求項５】
レーザー光を生成して照射するレーザーダイオードモジュール本体と、
前記レーザーダイオードモジュール本体を駆動する駆動チップと、
メーン基板と、を含み、
前記レーザーダイオードモジュール本体に対して前記駆動チップ及び前記メーン基板が一体に形成されたことを特徴とする駆動チップ一体型レーザーダイオードモジュール。
【請求項６】
前記レーザーダイオードモジュール本体は、
その内部に位置されたレーザーダイオードと、
電源を印加するべく外部に突設された複数の第１リードと、を含むことを特徴とする請求項５に記載の駆動チップ一体型レーザーダイオードモジュール。
【請求項７】
前記駆動チップは、
リードフレーム上に半導体素子が搭載された状態でモールド樹脂でパッケージングされたことを特徴とする請求項５または６に記載の駆動チップ一体型レーザーダイオードモジュール。
【請求項８】
前記駆動チップのモールド樹脂に形成されるものであって、前記複数の第１リード各々が挟まれる複数の結合孔をさらに含むことを特徴とする請求項７に記載の駆動チップ一体型レーザーダイオードモジュール。
【請求項９】
前記複数の結合孔の内部それぞれに備えられるものであって、前記複数の第１リード各々と電気的に接続される複数の内部コネクタをさらに含むことを特徴とする請求項８に記載の駆動チップ一体型レーザーダイオードモジュール。
【請求項１０】
前記内部コネクタは、
前記結合孔から外部に突出されることなく前記モールド樹脂内に備えられることを特徴とする請求項９に記載の駆動チップ一体型レーザーダイオードモジュール。
【請求項１１】
前記内部コネクタは、
前記第１リードの端部が挟まれるように所定形状を有することを特徴とする請求項９に記載の駆動チップ一体型レーザーダイオードモジュール。
【請求項１２】
前記駆動チップは、
外部に突設された複数の第２リードをさらに含むことを特徴とする請求項５ないし１１のうち何れか１項に記載の駆動チップ一体型レーザーダイオードモジュール。
【請求項１３】
前記メーン基板は前記第２リードと電気的に連結される複数のランドをさらに含むことを特徴とする請求項１１に記載の駆動チップ一体型レーザーダイオードモジュール。
【請求項１４】
前記メーン基板は前記レーザーダイオードモジュール本体が貫通される貫通孔をさらに含むことを特徴とする請求項５ないし１３のうち何れか１項に記載の駆動チップ一体型レーザーダイオードモジュール。
【請求項１５】
前記メーン基板は構成がコンパクト化されるべく前記駆動チップの背面に直接結合されることを特徴とする請求項５ないし１４のうち何れか１項に記載の駆動チップ一体型レーザーダイオードモジュール。
【請求項１６】
レーザー光を生成して照射するレーザーダイオードモジュール本体と、
前記レーザーダイオードモジュール本体を駆動する駆動チップと、
メーン基板と、を含み、
前記メーン基板は構成がコンパクト化されるべく前記駆動チップの背面に直接結合されることを特徴とする駆動チップ一体型レーザーダイオードモジュール。
【請求項１７】
光記録媒体の半径方向に往復移送可能に備えられるベースと、
レーザー光を生成して照射するレーザーダイオードモジュール本体と、前記レーザーダイオードモジュール本体を駆動する駆動チップと、構成がコンパクト化されるべく前記駆動チップの背面に直接結合されるメーン基板を備える駆動チップ一体型レーザーダイオードモジュールと、を含み、
前記駆動チップ一体型レーザーダイオードモジュールは前記レーザーダイオードモジュール本体から発生した熱を放熱するために放熱部材によって前記ベースに結合されたことを特徴とする駆動チップ一体型レーザーダイオードモジュールを採用した光ピックアップ装置。
【請求項１８】
前記放熱部材はネジであることを特徴とする請求項１７に記載の駆動チップ一体型レーザーダイオードモジュールを採用した光ピックアップ装置。
【請求項１９】
前記ベースには取付け孔がさらに備えられ、
前記レーザーダイオードモジュール本体が前記取付け孔の内壁に接触されるべく前記取付け孔内に結合され、
前記レーザーダイオードモジュール本体から発生した熱を前記ベースを通じて放熱することを特徴とする請求項１７に記載の駆動チップ一体型レーザーダイオードモジュールを採用した光ピックアップ装置。
【請求項２０】
光記録媒体の半径方向に往復移送可能に備えられるベースと、
レーザー光を生成して照射するレーザーダイオードモジュール本体と、前記レーザーダイオードモジュール本体を駆動する駆動チップと、構成がコンパクト化されるべく前記駆動チップの背面に直接結合されるメーン基板を備える駆動チップ一体型レーザーダイオードモジュールと、を含み、
前記駆動チップ一体型レーザーダイオードモジュールは前記レーザーダイオードモジュール本体から発生した熱を放熱するために前記ベースに結合されたことを特徴とする駆動チップ一体型レーザーダイオードモジュールを採用した光ピックアップ装置。
【請求項２１】
前記ベースには取付け孔がさらに備えられ、
前記レーザーダイオードモジュール本体が前記取付け孔の内壁に接触されるべく前記取付け孔内に結合され、
前記レーザーダイオードモジュール本体から発生した熱を前記ベースを通じて放熱することを特徴とする請求項２０に記載の駆動チップ一体型レーザーダイオードモジュールを採用した光ピックアップ装置。
【発明の詳細な説明】
【技術分野】
【０００１】
本発明は光源として用いられるレーザーダイオードモジュール及びこれを採用した光ピックアップ装置に係り、特にレーザーダイオード駆動に必要な駆動チップを一体に形成した駆動チップ一体型レーザーダイオードモジュール及びこれを採用した光ピックアップ装置に関する。
【背景技術】
【０００２】
一般に光ピックアップ装置は光を用いて非接触式で光記録媒体に対して情報の記録／再生を行う装置である。この光ピックアップ装置は所定波長の光を生成して照射する光源としてレーザーダイオードを採用する。この採用されるレーザーダイオードの光出力制御及びオン／オフ制御などの駆動制御のためにはレーザーダイオード駆動チップを必要とする。
【０００３】
図１は、従来のレーザーダイオードモジュールと駆動チップとを概略的に示す分離斜視図である。
【０００４】
図１を参照すれば、レーザーダイオードモジュール３は可動部材１の所定位置に結合される。このために可動部材１には前記レーザーダイオードモジュール３が取付けられる取付け孔１ａが備えられている。
【０００５】
前記レーザーダイオードモジュール３は駆動チップ１３と電気的に連結するための複数のリード４を含む。このリード４は前記レーザーダイオードモジュール３の背面に備えられた補助基板５にハンダ付けによって電気的に結合される。前記補助基板５はリボン型ケーブル７によってメーン基板１１と電気的に連結される。
【０００６】
前記メーン基板１１は前記可動部材１の上部にネジ９などによって結合設置されるものであって、その上部に前記レーザーダイオードモジュール３を駆動するための駆動チップ１３が搭載される。この駆動チップ１３は複数のリード１４を含み、各リード１４は前記メーン基板１１上に備えられたランドにハンダ付けによって電気的に連結される。
【０００７】
一方、前記メーン基板１１は前述したように、リボン型ケーブル７によって前記補助基板５と連結されるものであって、このメーン基板１１上に備えられた配線を通じて、間接的に前記レーザーダイオードモジュール３のリード４と前記駆動チップ１３のリード１４とが電気的に連結される。
【０００８】
前述したように、構成された従来のレーザーダイオードモジュールと駆動チップ間の結合構造は、レーザーダイオードモジュールと駆動チップ間の距離が遠くてケーブルによって連結される。したがって、レーザーダイオードに電源が印加される途中に外部からノイズなどの影響を受ける恐れがある。また、レーザーダイオードのリードが外部にそのまま露出されているために、レーザーダイオードが静電気に弱いという問題点がある。
【０００９】
そして、前述したようにレーザーダイオードモジュールとメーン基板とが分離された状態で各々可動部材とメーン基板とに組立てられ、これらの間の電気的結合はリボン型ケーブルを用いるようになるので、その組立て工数が複雑で製造コストが高いという問題点がある。
【００１０】
このような問題点は前記レーザーダイオードモジュールを採用する光ピックアップ装置にも適用され、組立て工数の複雑化及び製造コスト上昇の一要因として作用する。
【発明の開示】
【発明が解決しようとする課題】
【００１１】
本発明は前記問題点を勘案して創出されたものであって、レーザーダイオード駆動に必要な駆動チップを一体に形成することによって、組立て工数の単純化及び製造コストを節減できる駆動チップ一体型レーザーダイオードモジュール及びこれを採用した光ピックアップ装置を提供するところにその目的がある。
【課題を解決するための手段】
【００１２】
前記目的を達成するための本発明に係る駆動チップ一体型レーザーダイオードモジュールは、レーザー光を生成して照射するものであって、電源を印加するべく外部に突設された複数の第１リードを有するレーザーダイオードモジュール本体と、前記第１リードが挟まれる結合孔と、前記結合孔内に備えられるものであって前記第１リードと電気的に接続される内部コネクタと、外部に突設された複数の第２リードとを有する駆動チップと、前記第２リードと電気的に連結される複数のランドと、前記レーザーダイオードモジュール本体が貫通される貫通孔を有するメーン基板と、を含み、前記レーザーダイオードモジュール本体に対して前記駆動チップ及び前記メーン基板が一体に形成されたことを特徴とする。
【００１３】
前記目的を達成するための本発明に係る光ピックアップ装置は、複数の第１リードを有するレーザーダイオードモジュール本体と、前記第１リードが挟まれる結合孔と、前記結合孔内に備えられるものであって前記第１リードと電気的に接続される内部コネクタ及び外部に突設された複数の第２リードを有する駆動チップと、前記第２リードと電気的に連結する複数のランドと前記レーザーダイオードモジュール本体が貫通される貫通孔を有するメーン基板が一体に形成された駆動チップ一体型レーザーダイオードモジュールと、光記録媒体の半径方向に往復移送可能に備えられたものであって、前記駆動チップ一体型レーザーダイオードモジュールが装着される装着部と、前記レーザーダイオードモジュール本体が結合して設けられる取付け孔を有するベースと、サスペンションを通じて前記ベースに連結されるものであって、前記ベース上で前記光記録媒体のトラック方向及びフォーカス方向に動き自在に設けられるボビンと、前記ボビンに搭載されるものであって、前記レーザーダイオードモジュールから照射された光を集束して前記光記録媒体に結像させる対物レンズと、前記ベースと前記ボビンに亙って備えられ、前記対物レンズを前記光記録媒体のトラック方向及びフォーカス方向に駆動制御する磁気駆動手段と、前記ベースに備えられ、前記光記録媒体から反射された光を受光して情報信号及びエラー信号を検出する光検出器と、を含むことを特徴とする。
【発明の効果】
【００１４】
前述したように構成された本発明に係る駆動チップ一体型レーザーダイオードモジュールはレーザーダイオード駆動に必要な駆動チップを一体に形成することによって組立て工数を単純化しうる。また、駆動チップとレーザーダイオードモジュールとを直接連結することによって、これら相互間の連結のための別途のケーブルが不要なので製造コストを節減できる。
【００１５】
また、本発明に係る光ピックアップ装置は光源モジュールとして駆動チップ一体型レーザーダイオードモジュールを採用することによって、組立て工数を単純化し、製造コストを節減できる。
【発明を実施するための最良の形態】
【００１６】
以下、添付した図面を参照しつつ本発明の望ましい実施例に係る駆動チップ一体型レーザーダイオードモジュール及びこれを採用した光ピックアップ装置を詳細に説明する。
【００１７】
図２及び図３を参照すれば、本発明の実施例に係る駆動チップ一体型レーザーダイオードモジュールは、レーザー光を生成して照射するレーザーダイオードモジュール本体２１と、このレーザーダイオードモジュール本体２１を駆動するための駆動チップ２５及びメーン基板３１を含み、前記レーザーダイオードモジュール本体２１に対して前記駆動チップ２５及び前記メーン基板３１が一体に形成されている。
【００１８】
前記レーザーダイオードモジュール本体２１はその内部にレーザーダイオード（図示せず）を含み、外部から前記レーザーダイオードに電源を印加するために外部に突設された複数の第１リード２３を含む。このレーザーダイオードモジュール本体２１自体の構成は一般的なものであるためにその詳細な説明は略す。
【００１９】
前記駆動チップ２５は、リードフレーム２６上に半導体素子が搭載された状態でモールド樹脂２７でパッケージングされた形態を有するものであって、外部に突設された複数の第２リード２８を含む。また、この駆動チップ２５のモールド樹脂２７には前記第１リード２３が挟まれる結合孔２７ａが形成されており、前記結合孔２７ａ内には前記第１リード２３が電気的に接続される内部コネクタ２９が備えられている。
【００２０】
前記複数の第２リード２８は、前記メーン基板３１に備えられた複数のランド３３と電気的に連結される部分である。そして、内部コネクタ２９は従来の駆動チップ（図１の１３）におけるレーザーダイオードモジュール本体と連結される１リードに対応するものであって、外部に突き出ることなくモールド樹脂２７内に備えられる。また、前記第１リード２３の端部が挟まれるように図３に示されたように所定形状を有する。
【００２１】
前記メーン基板３１は前記第２リード２８と電気的に連結される複数のランド３３と、前記レーザーダイオードモジュール本体２１が貫通される貫通孔３１ａを有する。
【００２２】
したがって、前記駆動チップ２５の背面にレーザーダイオードモジュール本体２１が結合された状態で前記駆動チップ２５の背面にメーン基板３１を直接結合すべく構成することによって、構成をさらにコンパクト化できる。この際、前記メーン基板３１に備えられた貫通孔３１ａを通じて、前記レーザーダイオードモジュール本体２１の一部が突出されることによって機械的な干渉及び光学的な干渉を避けられる。
【００２３】
図４及び図５を参照すれば、本発明の実施例に係る光ピックアップ装置はベース６１と、このベース６１上に備えられたレーザーダイオードモジュール５０及び光検出器５５と、サスペンション６５により前記ベース６１上で動き自在に設けられるボビン６３と、このボビン６３に搭載された対物レンズ６７及び、前記ベース６１に対して前記ボビン６３を可動する磁気駆動手段７０を含んで構成される。
【００２４】
前記レーザーダイオードモジュール５０はレーザーダイオードモジュール本体２１、駆動チップ２５及びメーン基板３１が一体に形成されるものであって、その構成及び結合配置は図２及び図３の説明と同一なのでその詳細な説明は略す。
【００２５】
前記ベース６１は光記録媒体Ｄの半径方向へ移送可能に備えられるものであって、前記駆動チップ一体型レーザーダイオードモジュール５０が装着される装着部６２と、レーザーダイオードモジュール本体（図２の２１）が結合されて設けられる取付け孔６１ａを有する。
【００２６】
一方、前記ベース６１に対する前記駆動チップ一体型レーザーダイオードモジュール５０を装着するに当たって、メーン基板３１はネジ５２を通じた螺合によって、前記装着部６２に設けられる。したがって、前記レーザーダイオードモジュール５０から発生した熱を前記ネジ５２及び前記ベース６１を通じて放熱することによって、コネクタ（図３の２９）を内部に備えることによる熱発生問題を解消できる。
【００２７】
また、前記放熱問題を解消するための他の方法としては、レーザーダイオードモジュール本体（図３の２１）が前記ベース６１に形成された取付け孔６１ａの内壁に接触さるべく前記取付け孔６１ａ内に結合される構造を有することができる。この場合、前記レーザーダイオードモジュール５０から発生した熱を前記ベース６１を通じて放熱しうる。
【００２８】
前記ボビン６３はサスペンション６５を通じて前記ベース６１上で前記光記録媒体Ｄのトラック方向Ｒ及びフォーカス方向Ｆに動き自在に設けられる。対物レンズ６７は前記レーザーダイオードモジュール５０から照射された光を集束して前記光記録媒体Ｄに結像させるものであって、前記ボビン６３に搭載される。
【００２９】
前記磁気駆動手段７０は前記ベース６１とボビン６３とに亙って備えられるものであって、電磁気力によって前記対物レンズ６７を前記光記録媒体Ｄのトラック方向Ｒ及びフォーカス方向Ｆに駆動制御する。この磁気駆動手段７０はマグネット７１、ヨーク７３及びコイル部材７５を含んで構成されるものであって、その自体の構造及び作用はよく知られているのでその詳細な説明は略す。
【００３０】
前記光検出器５５は前記ベース６１上に備えられるものであって、前記光記録媒体Ｄから反射された光を受光して情報信号、トラッキングエラー信号及びフォーカシングエラー信号を検出する。
【産業上の利用可能性】
【００３１】
本発明に係る駆動チップ一体型レーザーダイオードモジュール及びこれを採用した光ピックアップ装置は光を用いて情報の記録再生を行う光記録再生装置分野に適用されうる。
【図面の簡単な説明】
【００３２】
【図１】従来のレーザーダイオードモジュールと駆動チップとを概略的に示す分離斜視図である。
【図２】本発明の実施例に係る駆動チップ一体型レーザーダイオードモジュールを概略的に示す分離斜視図である。
【図３】図２の駆動チップ一体型レーザーダイオードモジュールを示す部分断面図である。
【図４】図２の駆動チップ一体型レーザーダイオードモジュールが光ピックアップに組立てられる状態を概略的に示す分離斜視図である。
【図５】図２の駆動チップ一体型レーザーダイオードモジュールを採用した光ピックアップ装置を示す概略的な図面である。
【符号の説明】
【００３３】
２１  レーザーダイオードモジュール本体
２３  第１リード
２５  駆動チップ
２６  リードフレーム
２７  モールド樹脂
２７ａ  結合孔
２８  第２リード
２９  内部コネクタ
３１  メーン基板
３１ａ  貫通孔
３３  ランド
【図１】
2004214678.tif 000003
【図２】
2004214678.tif 000004
【図３】
2004214678.tif 000005
【図４】
2004214678.tif 000006
【図５】
2004214678.tif 000007